(57)【特許請求の範囲】
【請求項１】
二階建てや三階建て住宅のトイレ室Ｒの構成において、下階のトイレ室Ｒにおいては、水洗便器の後部に位置して、トイレ室Ｒの幅内に位置する化粧キャビネットＡを構成し、該化粧キャビネットＡの側部に、水洗便器Ｂの上階排水管２の通過する上階排水管室Ｋを、トイレ室Ｒの上下にわたり配置し、
最上階のトイレ室Ｒにおいては、水洗便器Ｂに向かって一側の化粧キャビネットＡ内には通気管室Ｅを構成し、該通気管室Ｅの内部に上階排水管２の上端を配置し、
該上階排水管２の上端に、上階の水洗便器Ｂからの排水の下降するエネルギーにより、排水管の内部にウォーターハンマー現象が発生するのを回避すべく、上階排水管２の一部を大気に開口する通気管１２を構成し、該通気管室Ｅの内部で通気管１２を大気に開口したことを特徴とする水洗トイレの排水管配置構造。
【発明の詳細な説明】
【０００１】
【発明の属する技術分野】
本発明は、二階建てや三階建て住宅におけるトイレ室内の排水管や上階排水管の配置構成に関するものである。
【０００２】
【従来の技術】
従来から、三階建て住宅において、トイレ室を二階・三階に配置する技術は公知とされているのである。
【０００３】
【発明が解決しようとする課題】
特に、三階建て住宅の場合には、敷地面積が狭いので三階にする場合や、通常の敷地でも、二世帯が住む為に三階建て住宅とする場合が多く、出来るだけトイレ室は二階・三階の両方に配置したいのである。
そして、２組のトイレ室を配置した場合でも、住宅内の空間を広く利用することが求められており、トイレ室は出来るだけ狭い空間を有効を利用する配管が求められているのである。
本発明は、該三階建て住宅等のトイレ室を、有効に利用する為に、絶対に必要な上階排水管室と排水管室を、化粧キャビネットの側部と内部にコンパクトに配置するものである        。
【０００４】
【課題を解決するための手段】
本発明が解決しようとする課題は以上の如くであり、次に該課題を解決するための手段を説明する。
二階建てや三階建て住宅のトイレ室Ｒの構成において、下階のトイレ室Ｒにおいては、水洗便器の後部に位置して、トイレ室Ｒの幅内に位置する化粧キャビネットＡを構成し、該化粧キャビネットＡの側部に、水洗便器Ｂの上階排水管２の通過する上階排水管室Ｋを、トイレ室Ｒの上下にわたり配置し、最上階のトイレ室Ｒにおいては、水洗便器Ｂに向かって一側の化粧キャビネットＡ内には通気管室Ｅを構成し、該通気管室Ｅの内部に上階排水管２の上端を配置し、該上階排水管２の上端に、上階の水洗便器Ｂからの排水の下降するエネルギーにより、排水管の内部にウォーターハンマー現象が発生するのを回避すべく、上階排水管２の一部を大気に開口する通気管１２を構成し、該通気管室Ｅの内部で通気管１２を大気に開口したものである。
【０００５】
【発明の実施の形態】
次に本発明の実施の形態を説明する
図１は本発明の水洗トイレの排水管配置構造を具備したトイレ室の正面図、図２は三階建て住宅のトイレ室と水洗便器と上階排水管２と排水管１の構成を示す側面図、図３は上階排水管室Ｋと化粧キャビネットＡの内部の構造を示す側面断面図、図４は同じく上階排水管室Ｋと化粧キャビネットＡの内部の構造を示す正面断面図、図５は上階排水管室Ｋと化粧キャビネットＡの部分の平面断面図、図６はトイレ室Ｒの平面断面図、図７は上階のトイレ室の正面断面図である。
【０００６】
本発明の水洗トイレの排水管配置構造においては、図２に示す如く、トイレ室Ｒを二階と三階に配置し、該三階のトイレ室Ｒの内部に上階排水管２の上端を開口して、通気管としている。
前記上階排水管２の内部には、上階の水洗便器Ｂからの排水が通過するので、この排水の下降するエネルギーにより、排水管の内部にウォーターハンマー現象が発生するので、上階排水管２の一部を大気に開口する必要があり、本実施例では、図７に示す如く、上の階に設けた化粧キャビネットＡの内部に通気管室Ｅを構成して、上階排水管２の上端である通気管１２を通気管室Ｅの内部で大気に開口している。これにより、ウォーターハンマー現象や、エロージョン現象をなくしているのである。
【０００７】
このように、二階建て住宅や三階建て住宅の最上階には、通気管１２を配置した通気管室Ｅを、化粧キャビネットＡの内部に設けている。また下の管のトイレ室Ｒの内部には、本発明の如く、トイレ室Ｒの上部にわたり、貫通した上階排水管２を配置した上階排水管室Ｋを設ける必要があるのである。
【０００８】
従来のトイレ室Ｒにおいては、水洗便器ＢとロータンクＴとがトイレ室Ｒの内部に露出した状態で配置されており、排水管１や通気管１２は、壁面の内部を通過すべく収納されていたのである。
これに対して、本発明においては、図示する如く、水洗便器Ｂはトイレ室Ｒの内部に露出するが、ロータンクＴは化粧キャビネットＡの内部に配置し、更に排水管１や上階排水管２もトイレ室Ｒの内部を通過させ、これらを収納する排水管室Ｇや上階排水管室Ｋを構成したものである。
【０００９】
図１と図３と図４において、本発明の水洗トイレの上階排水管２の配置構造の具体的な構造を説明する。
化粧キャビネットＡは、排水管１とロータンクＴと手洗い器Ｈを配置した位置までの高さとして、それ以上の壁面にはトイレ室Ｒの窓Ｗが設けられている。故に、化粧キャビネットＡはあまり高く構成することは不可能なのである。特に窓Ｗが配置されている部分は、手洗い器Ｈを窓の下までの高さとする必要がある。
【００１０】
そして、化粧キャビネットＡ内部をタンク載置台３により２室に分割している。該化粧キャビネットＡの内部は、タンク載置台３の上部にロータンクＴを配置したロータンク収納空間Ｆとし、タンク載置台３の下部は排水管１を配置した排水管室Ｇとしている。
そして、該化粧キャビネットＡの側方には、トイレ室Ｒの上下にわたり、上階排水管２を配置した上階排水管室Ｋに構成しているのである。
また、図７に示す最上階のトイレ室Ｒにおいては、水洗便器Ｂに向かって左側には、完全に仕切った通気管室Ｅが構成されており、該通気管室Ｅの内部には、通気管１２の上端が吐出されている。また該通気管室Ｅの奥の壁面にはシャワートイレ用コンセント４が設けられている。
【００１１】
また、図７に示す最上階においては、化粧キャビネットＡの向かって左側には、トイレットペーパ等を収納する為の収納空間Ｄが構成されている。該収納空間Ｄには引戸としての開閉蓋が設けられて常時は収納空間Ｄを閉鎖している。
該排水管１と通気管１２とは、床面の下方で合流するのである。
また、下階のトイレ室Ｒにおける排水管１と上階排水管２も、床の下方で、両者は合流して、上階排水管２の内部を排水が下降するのである。
【００１２】
更に、ロータンクＴの上面の化粧キャビネットＡの上面化粧板に嵌装して、手洗い器Ｈを配置している。該手洗い器Ｈの下部の排水口は、ロータンクＴに連通しており、手洗い水吐出口５はロータンクＴの洗浄水吐出口を兼用しているのである。図面において、６は洗浄水吐出レバー、７はシャワートイレ操作盤、８は水道管である。
【００１３】
【発明の効果】
本発明は以上の如く構成したので、次のような効果を奏するものである。
請求項１の如く、水洗便器Ｂを配置したトイレ室Ｒ内において、水洗便器の後部に位置して、トイレ室Ｒの幅内に位置する化粧キャビネットＡを構成し、該化粧キャビネットＡの側部に、水洗便器Ｂの上階排水管２の通過する上階排水管室Ｋを、トイレ室Ｒの上下にわたり配置したので、従来はトイレ室Ｒの外側に排水管室として構成していた空間をトイレ室Ｒの内部に構成することができ、居住空間を排水管室として使用することが無くなったので、住居を広く利用することが出来るのである。
また、上階排水管２の内部には、上階の水洗便器Ｂからの排水が通過するので、この排水の下降するエネルギーにより、排水管の内部にウォーターハンマー現象が発生するので、上階排水管２の一部を大気に開口する必要があるが、本発明では、上の階に設けた化粧キャビネットＡの内部に通気管室Ｅを構成して、上階排水管２の上端である通気管１２を通気管室Ｅの内部で大気に開口したことにより、ウォーターハンマー現象や、エロージョン現象をなくすことが出来たものである。
【図面の簡単な説明】
【図１】本発明の水洗トイレの排水管配置構造を具備したトイレ室の正面図。
【図２】三階建て住宅のトイレ室と水洗便器と上階排水管２と排水管１の構成を示す側面図。
【図３】上階排水管室Ｋと化粧キャビネットＡの内部の構造を示す側面断面図。
【図４】同じく上階排水管室Ｋと化粧キャビネットＡの内部の構造を示す正面断面図。
【図５】上階排水管室Ｋと化粧キャビネットＡの部分の平面断面図。
【図６】トイレ室Ｒの平面断面図。
【図７】上階のトイレ室の正面断面図。
【符号の説明】
Ａ  化粧キャビネット
Ｂ  水洗便器
Ｄ  収納空間
Ｅ  通気管室
Ｆ  ロータンク収納空間
Ｇ  排水管室
Ｈ  手洗い器
Ｋ  上階排水管室
１  排水管
２  上階排水管
３  タンク載置台
４  シャワートイレ用コンセント
５  手洗い水吐出口
８  水道管
１２  通気管
【図１】
0003618556.tif 000002
【図２】
0003618556.tif 000003
【図３】
0003618556.tif 000004
【図４】
0003618556.tif 000005
【図５】
0003618556.tif 000006
【図６】
0003618556.tif 000007
【図７】
0003618556.tif 000008